(57)【要約】【課題】この発明はマッサージローラを走行させる金属ベルトによって基体や外装地などが擦られて損傷するのを防止したマッサージ装置を提供する。【解決手段】上部通路２０および下部通路２２を有し、基体２の上面に長手方向に沿って設けられた一対のガイドレール１０と、上部通路と下部通路とに挿通されるとともに一端が対をなす一方の駆動用プーリに巻回され他端が他方の駆動用プーリに巻回され中途部がガイドレールの他端側に設けられた支持用プーリに掛けられていて、駆動用プーリによってガイドレールに沿って走行させられる金属ベルト８６と、この金属ベルトの走行に連動してガイドレールに沿って走行するとともにその走行方向と交差する方向に軸線を沿わせた支持軸を有する保持体９０と、支持軸に回転可能に設けられたマッサージローラ１１８と、基体の少なくとも上面側に設けられ上記保持体を被覆した外装地１６２とを具備する。【選択図】　　図３
2004135773.tif 000002
【特許請求の範囲】
【請求項１】
基体と、
上下に区画形成された上部通路および下部通路を有し、上記基体の上面に長手方向に沿って設けられた一対のガイドレールと、
このガイドレールの長手方向一端側に設けられた駆動源と、
この駆動源によって回転駆動される一対の駆動用プーリと、
上記上部通路と下部通路とに挿通されるとともに一端が一方の駆動用プーリに巻回され他端が他方の駆動用プーリに巻回され中途部が上記ガイドレールの他端側に設けられた支持用プーリに掛けられていて、上記駆動用プーリによって上記ガイドレールに沿って走行させられる金属ベルトと、
この金属ベルトの走行に連動して上記ガイドレールに沿って走行するとともにその走行方向と交差する方向に軸線を沿わせた支持軸を有する保持体と、
上記支持軸に回転可能に設けられたマッサージローラと、
上記基体の少なくとも上面側に設けられ上記保持体を被覆した外装地と
を具備したことを特徴とするマッサージ装置。
【請求項２】
上記保持体の支持軸に一端が回動可能に連結され他端に振動装置が設けられたアームと、一端が上記アームの他端に連結されたばね体と、このばね体の他端に設けられたバランサと、上記ばね体の上記バランサが取付けられた他端が所定以上の高さに変位するのを規制する規制手段とを具備したことを特徴とする請求項１記載のマッサージ装置。
【請求項３】
上記基体と上記ガイドレールとの長手方向中央部分には、これら基体とガイドレールとを長手方向中央部分から二つに折り曲げ可能とする複数のスリットが上記長手方向と交差する方向に沿って設けられていることを特徴とする請求項１記載のマッサージ装置。
【請求項４】
上記外装地の少なくとも上記保持体の走行範囲に対応する部分は、表側シートと内側シートとの二重構造になっていて、上記内側シートが上記表側シートよりも柔らかな材料で形成されていることを特徴とする請求項１記載のマッサージ装置。
【請求項５】
上記基体は合成樹脂によって形成されていて、この基体には長手方向に沿う複数の空洞が幅方向に所定間隔で設けられていることを特徴とする請求項１記載のマッサージ装置。
【請求項６】
上記基体の長手方向一端部の上面には、利用者の頭部を支持するためのピローベースが設けられていることを特徴とする請求項１記載のマッサージ装置。
【発明の詳細な説明】
【０００１】
【発明の属する技術分野】
この発明は基体上を往復駆動されるマッサ−ジロ−ラによって利用者の背面をマッサ−ジするマッサ−ジ装置に関する。
【０００２】
【従来の技術】
一般に、マッサ−ジ装置は、基体にマッサ−ジロ−ラが保持された保持体が基体の長手方向に沿って走行可能に設けられている。基体の長手方向一端部には駆動源が設けられ、上記保持体は上記駆動源によって基体の長手方向に沿って往復駆動されるようになっている。それによって、上記基体の上面に仰臥した利用者の背面を上記マッサ−ジロ−ラでマッサ−ジできるようになっている。
【０００３】
上記駆動源によってマッサージローラが設けられた上記保持体を上記基体の長手方向に沿って往復駆動する場合、上記駆動源の動力を上記保持体に伝達するために種々の動力伝達手段が用いられている。たとえば、上記駆動源によってワイヤやチェーンを走行駆動し、これらワイヤやチェーンの走行に上記保持体を連動させるということが行なわれている。
【０００４】
【発明が解決しようとする課題】
しかしながら、従来、上記ワイヤやチェーンは基体の上面に露出していた。そのため、駆動源によってワイヤやチェーンを走行駆動すると、これらのワイヤやチェーンが基体やこの基体を被覆した外装地と擦れながら走行することになる。そのため、基体や外装地がワイヤやチェーンによって早期に損傷させられるということになる。
【０００５】
この発明は、基体や外装地の早期損傷を招くことなく、駆動源の動力をマッサージローラが設けられた保持体に伝達し、この保持体を駆動することができるようにしたマッサージ装置を提供することにある。
【０００６】
【課題を解決するための手段】
請求項１の発明は、基体と、
上下に区画形成された上部通路および下部通路を有し、上記基体の上面に長手方向に沿って設けられた一対のガイドレールと、
このガイドレールの長手方向一端側に設けられた駆動源と、
この駆動源によって回転駆動される一対の駆動用プーリと、
上記上部通路と下部通路とに挿通されるとともに一端が一方の駆動用プーリに巻回され他端が他方の駆動用プーリに巻回され中途部が上記ガイドレールの他端側に設けられた支持用プーリに掛けられていて、上記駆動用プーリによって上記ガイドレールに沿って走行させられる金属ベルトと、
この金属ベルトの走行に連動して上記ガイドレールに沿って走行するとともにその走行方向と交差する方向に軸線を沿わせた支持軸を有する保持体と、
上記支持軸に回転可能に設けられたマッサージローラと、
上記基体の少なくとも上面側に設けられ上記保持体を被覆した外装地と
を具備したことを特徴とするマッサージ装置にある。
【０００７】
請求項２の発明は、上記保持体の支持軸に一端が回動可能に連結され他端に振動装置が設けられたアームと、一端が上記アームの他端に連結されたばね体と、このばね体の他端に設けられたバランサと、上記ばね体の上記バランサが取付けられた他端が所定以上の高さに変位するのを規制する規制手段とを具備したことを特徴とする請求項１記載のマッサージ装置にある。
【０００８】
請求項３の発明は、上記基体と上記ガイドレールとの長手方向中央部分には、これら基体とガイドレールとを長手方向中央部分から二つに折り曲げ可能とする複数のスリットが上記長手方向と交差する方向に沿って設けられていることを特徴とする請求項１記載のマッサージ装置にある。
【０００９】
請求項４の発明は、上記外装地の少なくとも上記保持体の走行範囲に対応する部分は、表側シートと内側シートとの二重構造になっていて、上記内側シートが上記表側シートよりも柔らかな材料で形成されていることを特徴とする請求項１記載のマッサージ装置にある。
【００１０】
請求項５の発明は、上記基体は合成樹脂によって形成されていて、この基体には長手方向に沿う複数の空洞が幅方向に所定間隔で設けられていることを特徴とする請求項１記載のマッサージ装置にある。
【００１１】
請求項６の発明は、上記基体の長手方向一端部の上面には、利用者の頭部を支持するためのピローベースが設けられていることを特徴とする請求項１記載のマッサージ装置にある。
【００１２】
この発明によれば、駆動源の動力を一対の駆動用プーリを介して金属ベルトにより保持体に伝達するとともに、上記金属ベルトをガイドレールに形成された上部通路と下部通路に挿通したため、上記金属ベルトが基体や基体を被覆した外装体を擦るのを防止できる。
【００１３】
【発明の実施の形態】
以下、この発明の一実施の形態を図面を参照して説明する。図１と図２に示す指圧装置１は矩形板状の基体２を備えている。この基体２はナイロン，ポリプロピレン，ポリビニ−ルあるいはウレタンなどの合成樹脂によって成形されている。また、基体２には、図８（ａ）、図８（ｂ）に示すようにその長手方向に貫通した断面矩形状の多数の空洞４が幅方向に対して所定間隔で形成されている。空洞４を基体１の長手方向に沿って形成することで、この基体１を押し出し成形によって容易に製造することが可能となる。
【００１４】
上記基体２の長手方向中央部には、基体２の幅方向に沿うとともに一端が基体２の下面に開放した複数のスリット６が基体２の長手方向に対して所定間隔で形成されている。したがって、基体２は図２６に示すように上記スリット６によって長手方向の中央部から二つに折り曲げることができる。すなわち、基体２の長手方向中央部分には、この基体２を折り畳むことを可能とする第１の柔軟部８が形成されている。
【００１５】
なお、図３に示すように、基体２の下面には弾性シ−ト２ａが接合され、上面の第１の柔軟部８に対応する個所には補強シ−ト２ｂが設けられている。
【００１６】
このような構造の基体２の上面には、基体２の長手方向に沿って一対のガイドレール１０が平行に離間して設けられている。このガイドレール１０は上記基体２と同様の合成樹脂により図３に示す断面形状に形成されている。すなわち、ガイドレール１０は帯状の基部１２と、この基部１２の幅方向一端に設けられたＬ字帯状の係止部１４と、他端に設けられたＬ字帯状の支持部１６と、上記基部１２の幅方向中途部上下面にそれぞれ一対づつ突設されたＬ字状片１８とが一体成形されてなる。
【００１７】
各一対のＬ字状片１８によって基部１２の上面側には上部通路２０が区画形成され、下面側には下部通路２２が形成区画されている。また、基部１２の上面側の上記係止部１４と一方のＬ字状片１８との間の部分は、後述する車輪１０８が走行するガイド面２４となっている。
【００１８】
上記ガイドレール１０は、詳細は図示しないが長手方向の一端部だけが基体２にねじ止め固定され、他の部分は図３と図２４とに示すレ−ルスライダ２８によってスライド可能に保持されている。このレ−ルスライダ２８はチャンネル状に形成されていて、基体２に穿設された透孔２ａに落し込まれているとともに、両端に形成された一対のフランジ３０の一方をガイドレール１０の一側縁に形成された係止部１４に係合させ、他方を支持部１６に係合させている。したがって、ガイドレール１０の他端部は基体２に対して移動可能となっている。
【００１９】
上記ガイドレール１０の上記基体２の第１の柔軟部８と対応する部分、つまり長手方向中央部は、図９と図１０に示すようにこのガイドレール１０の係止部１４、支持部１６およびＬ字状片１８の幅方向全長にわたる多数のスリット３８が長手方向に対して一定間隔で形成されている。したがって、ガイドレール１０の長手方向中央部は上記スリット３８によって上記第１の柔軟部８と一緒に折り曲げることのできる第２の柔軟部４０となっている。
【００２０】
一方、上記ガイドレール１０の他端部は基体２の上面から離れる上方に曲成されていて、この部分の下面には図４と図５とに示すようにガイドレール１０を曲成状態で保持した架台４２が取着されている。
【００２１】
図５乃至図７に示すように、上記架台４２の長手方向中途部にはガイド部材４５が両側面に突設された突起４６を上記架台４２の側壁に形成された支持孔４７に嵌合させて設けられている。このガイド部材４５の上面は比較的曲率半径の大きな円弧面からなる凸曲面４４に形成されている。
【００２２】
上記ガイドレール１０の他端から突出した上記架台４２の先端部には支持用プーリ４８が支軸５０によって回転自在に支持されている。上記ガイドレール１０の上記ガイド部材４５よりも先端側は下部通路２２を形成する一対のＬ字状片１８が除去されている。
【００２３】
図４に示すように、一対の架台４２の先端部間には合成樹脂製のピローベース５２が設けられている。このピローベース５２は後述する如く基体２上に仰臥してマッサージを受ける利用者の頭部をわずかに上方に持ち上げて支持する。
【００２４】
図６に示すように、上記支持用プーリ４８の外周面は凸曲面４９に形成され、この凸曲面４９の幅方向中央部には周方向全長にわたって凹溝５１が形成されている。
【００２５】
上記ガイドレール１０の上部通路２０と下部通路２２には後述する金属ベルト８６が挿通される。この金属ベルト８６は上記支持用プーリ４８の外周面の凸曲面４９に掛けられる。それによって、金属ベルト８６には幅方向中央に最も大きくなるテンションが加わるから、この金属ベルト８６が支持用プーリ４８の幅方向にずれるのが抑制される。さらに、支持用プーリ４８の幅方向中央に凹部５１を形成したため、金属ベルト８６に加わるテンションが大きくなり過ぎるのが防止される。
【００２６】
上記金属ベルト８６は上記ガイド部材４５の凸曲面４４にガイドされて下部通路挿通されている。上記凸曲面４４は曲率半径が比較的大きく設定されている。そのため、金属ベルト８６が上記凸曲面４４と接触しても、損傷し難くなっている。
【００２７】
図５に示すように、上記基体２の長手方向一端側には、下面に剛性を備えた板材５４が接合され、上面に駆動装置５６が設けられている。この駆動装置５６は上記基体２に固定されたケ−ス５８を有する。このケ−ス５８内には図４に示すように両端がＬ字状の支持片６０に折曲された取付板６２が設けられている。この取付板６２には減速機とモ−タとが一体化された駆動源６４が取着されている。
【００２８】
上記駆動源６４の出力軸６６は一方の支持片６０の外面側に突出している。この出力軸６６には第１の歯車６８と第１の駆動用プーリ７０とが嵌着されている。また、上記取付板６２には両端部が支持片６０に回転自在に支持された第１の取付軸７２が設けられている。この取付軸７２の両端部は支持片６０の外面側に突出し、その一端部には第２の歯車７４と、上記第１の駆動用プーリ７０と対をなす第２の駆動用プーリ７６とが嵌合されている。
【００２９】
上記第２の歯車７４は上記第１の歯車６８と歯合している。上記第１の取付軸７２の他端部には第３の歯車７８と第３の駆動用プーリ８０とが嵌着されている。また、上記取付板６２の他方の支持片６０には第２の取付軸８１が回転自在に設けられている。この第２の取付軸８１には上記第３の歯車７８と歯合した第４の歯車８２と、上記第３の駆動用プーリ８０と対をなす第４の駆動用プーリ８４とが嵌着されている。したがって、上記出力軸６６が回転駆動されると、第１の歯車６８と第２の歯車７４とが逆方向に回転するとともに、第３の歯車７８と第４の歯車８２とが逆方向に回転する。なお、第１乃至第４の歯車は同じ回転数で回転する。
【００３０】
上記第１の駆動用プーリ７０と図４の駆動用プーリ８４とには動力伝達条件として鋼材やステンレス材などの導電性の金属材料によって帯状に形成された動力伝達条件としての一対の金属ベルト８６の一端部がそれぞれ末端を固着して巻回されている。
【００３１】
上記金属ベルト８６は、図５に示すように上記第１，第４の駆動用プーリ７０，８４から上記ガイドレール１０の上部通路２０に通されている。この上部通路２０から導出された中途部は上記架台４２に設けられた支持用プーリ４８に掛けられている。
【００３２】
上記金属ベルト８６は上記支持用プーリ４８によって走行方向がほぼ１８０度変換され、ガイド部材４５の凸曲面４４にガイドされて上記ガイドレール１０の下部通路２２に通されている。
【００３３】
上記下部通路２２から導出されたベルト８６の他端部は、上記第２の駆動用プーリ７６と第３の駆動用プーリ８０とにそれぞれ巻回されている。したがって、互いに対をなす第１の駆動用プーリ７０と第２の駆動用プーリ７６あるいは第３の駆動用プーリ８０と第４の駆動用プーリ８４がそれぞれ逆方向に回転させられると、ベルト８６は一方の駆動用プーリに巻き取られ、その巻き取られた長さだけ他方のプーリから送り出される。
【００３４】
たとえば、図５において第１の駆動用プーリ７０が矢印Ｘ方向、第２の駆動用プーリ７６が矢印Ｙ方向に回転させられると、ベルト８６の上部通路２０に挿通された部分は矢印Ｚ方向に走行する。
【００３５】
上記一対のガイドレール１０には、図１に示すようにガイドレール１０の長手方向に沿って所定間隔で離間した一対の保持体９０が設けられている。この保持体９０は図３に示すように支持軸としての中空軸９２を備えている。この中空軸９２の両端部はサポ−ト９４に形成された取付孔９６に着脱可能に嵌合されている。上記中空軸９２にはねじ軸９８が挿通されている。このねじ軸９８のおねじ１００が形成された両端部は上記取付孔９６の底部壁１０２から外部に突出している。
【００３６】
上記おねじ１００にはめねじ１０４が螺着されている。上記サポ−ト９４には図３と図１１に示すように一対の車輪１０８が一対のサポ−ト９４間に架設された支軸１１０によってそれぞれ回転可能に支持されている。この車輪１０８は上記ガイドレール１０のガイド面２４を走行する。
【００３７】
上記サポ−ト９４の下面下端部には図１１と図１４に示すようにほぼＴ字状のガイド部材１１２の水平な一辺が取付固定されている。このガイド部材１１２の垂直な他辺はサポ−ト９４の下端から突出し、この突出部分には巻回部１１３が形成されている。この巻回部１１３には連結部材である折曲自在なワイヤ１１５の中途部が挿通固定されている。このワイヤ１１５の両端には図１５に示す取付金具１１７が取着され、この取付金具１１７は上記サポ−ト９４の外面上部にねじ止め固定されている。
【００３８】
図１５に示すように、上記ワイヤ１１５の上記巻回部１１３の両側に位置する部分は、それぞれ金属ベルト８６の上面に固着された一対の取付板１１９に連結されている。つまり取付板１１９には挿通部１２１が形成され、この挿通部１２１に上記ワイヤ１１５が挿通固定されている。したがって、ワイヤ１１５は上記一対の取付板１１９間の部分を底辺とするほぼ三角形状に折曲されていて、上記取付板１１９を介して保持体９０をベルト８６の走行に連動させるようになっている。
【００３９】
一方の取付板１１９の上面には、図１６に示すように円弧状に曲成された一対のばね部１０９ａを有する弾性押え体１０９が上記ばね部１０９ａの一端側に形成された基部１０９ｂを固着して設けられている。上記ばね部１０９ａは上記ガイドレール１０の上部通路２０を形成する一対のＬ字状片１８の内面に緩やかに接触あるいはわずかな隙間を介して対向している。それによって、金属ベルト８６は上記ばね部１０９ａによって上部通路２０内で振動するのが防止される。
【００４０】
図３に示すように、上記保持体９０の中空軸９２には４つのカラ−１１６が回転自在かつ軸方向にずれ動くことのない状態で設けられている。各カラ−１１６にはマッサ−ジロ−ラ１１８が取付けられている。このマッサ−ジロ−ラ１１８はゴムや合成樹脂などの比較的硬質な弾性材料によって成形されていて、その外周面にはほぼ半球形状の多数の突起１２０が周方向に所定間隔で突設されている。
【００４１】
なお、各カラ−１１６の外周面にはマッサ−ジロ−ラ１１８がカラ−１１６の軸方向にずれ動くのを防止するストッパ１２２が形成されている。マッサージローラ１１８には、各突起１２０と対応する部分に軸方向に沿う中空部１２１が穿設されている。この中空部１２１は外周面に形成された突起１２０が径方向内方へ弾性的に変位し易くなっている。
【００４２】
上記中空軸９２に設けられた４つのカラ−１１６がなす３つの接合面間のうちの中央を除く２つの接合面間には、図３に示すように比較的硬質なゴムなどの弾性材からなる第１のブッシング１２６がそれぞれ回転自在に外嵌されている。第１のブッシング１２６の内周面は、図１２に示すように周方向に沿って凹凸面に形成されている。
【００４３】
各ブッシング１２６には一対の板状材１２８（一方のみ図示）からなるア−ム１２９の一端部が外嵌され、このア−ム１２９は上記第１のブッシング１２６とともに中空軸９２の回りで回動できるようになっている。
【００４４】
図１２に示すように、上記ア−ム１２９の一端部には弾性材料からなる第２のブッシング１２７が取着されている。上記ア−ム１２９の他端には、断面形状が半円弧状で、一対のア−ム１２９の離間寸法よりもやや長尺に形成された受け部材１３０が固着されている。この受け部材１３０の内面にはゴムなどの第１の弾性材１３２が貼着され、この上には振動装置１３４が設けられている。
【００４５】
上記振動装置１３４は上記受け部材１３０よりも小さな半径の半円筒部を有するケ−ス１３６を備えている。このケ−ス１３６は、２０図に示すようにゴムなどの第２の弾性材１３８を介して連結具としてのねじ１４０により上記受け部材１３０に保持されている。つまり、上記ねじ１４０は受け部材１３０からケ−ス１３６内へ突出され、その突出部分に筒状の上記第２の弾性材１３８が嵌め込まれ、ナット１４２によって抜出すのが防止されている。それによって、ケ−ス１３６は第１，第２の弾性材１３２，１３８によって受け部材１３０上で径方向に弾性変位自在に保持されている。
【００４６】
上記ケ−ス１３６内には直流２軸モ−タ１４４が保持固定されている。この２軸モ−タ１４４の軸には図１８に示すようにそれぞれおもり１４６が偏心して取着されている。したがって、２軸モ−タ１４４が作動すれば上記おもり１４６が偏心回転することによってケ−ス１３６が振動するようになっている。
【００４７】
なお、ケ−ス１３６の上面側の開口部分には蓋板１５０がねじ止め固定されている。この蓋板１５０の内面と上記２軸モ−タ１４４との間には弾性材１５２が介装され、２軸モ−タ１４４を保持している。さらに、上記ア−ム１２９の他端には図１２と図１３とに示すように帯状の板ばねからなるばね体１５８の一端が固着されている。このばね体１５８の他端側は振動装置１３４と離反する斜上方向に延出され、上記振動装置１３４よりも上方に位置するその他端上面にはバランサ１６０がねじ１６１によって固着されている。
【００４８】
したがって、基体２の上面側を被覆した外装地１６２上に利用者が仰臥すると、上記ばね体１５８が図１２に示すように弾性変形し、振動装置１３４と受け体１６０とがマッサ−ジロ−ラ１１８とほぼ同じ高さに変位する。つまりばね体１５８は中途部が第２のブッシング１２７の部分に当ってほぼへの字状に屈曲する。すると、上記振動装置１３４はばね体１５８の復元力によって上方向である外装地１６２の方向へ付勢される。したがって、振動装置１３４は利用者の体へ強く押圧されるから、その振動が利用者の体へ確実に伝わることになる。
【００４９】
上記外装地１６２の少なくとも上記一対の保持体９０の走行範囲に対応する部分、つまり一対の保持体９０に設けられたマッサージローラ１１８が当る部分は、図１１と図１２に示すように表側シート１６２ａと内側シート１６２ｂとの二重構造になっている。内側シート１６２ｂは表側シート１６２ａよりも柔らかなシートが用いられている。たとえば、表側シート１６２ａは布地にナイロン樹脂を硬くなるようコーティングして形成され、内側シート１６２ｂは布地にナイロン樹脂を柔らかくなるようコーティングして形成されている。
【００５０】
表側シート１６２ａを硬く形成したことで、この表側シート１６２ａがマッサージ装置１の外形状を持する。内側シート１６２ｂを柔らかく形成したことで、マッサージローラ１１８との摺接音の発生やマッサージローラ１１８の早期磨耗を防止する。
【００５１】
図１２に示すように、上記一対のばね体１５８のバランサ１６０が取着された他端側下面には止めねじ１７２ａが螺着されている。この止めねじ１７２ａには規制手段を形成する索状体としての第１のワイヤ１７３の一端側が固定されている。
【００５２】
図１１と図１９に示すように、上記バランサ１６０の両端面には止めねじ１７２ｂによって同じく規制手段としての第２のワイヤ１７４の一端が固定されている。上記の第１のワイヤ１７３はル−プ状をなし、そのル−プはサポ−ト９４の車輪１０８を回転自在に支持した一方の支軸１１０に係合させられている。
【００５３】
上記第２のワイヤ１７４の他端は図１９と図２とに示すように振動装置１３４が設けられていない他方の保持体９０のサポ−ト９４に固定されている。したがって、上記ばね体１５８のバランサ１６０が取着された他端側は、上記第１のワイヤ１７３と第２のワイヤ１７４とによって図１１に示す状態である上記各ワイヤ１７３，１７４が張った状態よりも上方へ変位するのが規制されている。
【００５４】
図１１と図１２に示すように、上記ア−ム１２９の他端側にはル−プ状をなした第３のワイヤ１７５の一端側が止めねじ１７６によって固定されている。この第３のワイヤ１７５のル−プは保持体９０のサポ−ト９４の他方の支軸１１０に係合している。それによって、ア−ム１２９は図１１に示す第３のワイヤ１７５が張った状態よりも上方へ変位するのが規制されている。なお、索状体としてはワイヤに代りベルトを用いてもよい。
【００５５】
上記ばね体１５８は図１３に示すように帯状板ばね１５８ａとナイロンやポリプロピレン製の帯状保護板１５８ｂとを上下方向に重合し、これらを合成樹脂製の外皮１５８ｃで被覆した構造となっており、上側の帯状保護板１５８ｂによって外装地１６２を傷付けるのを防止している。
【００５６】
上記振動装置１３４の直流２軸モ−タ１４４には図１８に示すように一対の第１のリ−ド線１６４の一端がそれぞれ電気的に接続されている。これらリ−ド線１６４の他端はそれぞれ保持体９０の一対のサポ−ト９４の外面側に導出されて上記導電性の金属ベルト８６に固着されたガイド部材１１２に電気的に接続されている。
【００５７】
上記一対のベルト８６の第１の駆動用プーリ７０と第４の駆動用プーリ８４とに巻取された部分にはそれぞれ図５と図２１に示すブラシ１６６が接触している。各ブラシ１６６には図４に示すように第２のリ−ド線１６８の一端が接続されている。これら第２のリ−ド線１６８の他端は上記駆動装置５６のケ−ス５８内に配置されたコンバ−タ１７０に接続されている。このコンバ−タ１７０は１００Ｖの交流電圧を約１０Ｖの直流電圧に変換する。
【００５８】
よって、コンバ−タ１７０から出力される直流電圧は、一方の第２のリ−ド線１６８から一方の金属ベルト８６および一方の第１のリ−ド線１６４を通って２軸モ−タ１４４に入力し、この２軸モ−タ１４４から他方の第１のリ−ド線１６４、他方の金属ベルト８６および他方の第２のリ−ド線１６８を通って上記コンバ−タ１７０に流れる。つまり、振動装置１３４の２軸モ−タ１４４には一対のベルト８６を利用して給電できるようになっている。
【００５９】
上記基体２の上面には図２２に示すように幅方向一端側にスイッチ機構１９０が設けられている。このスイッチ機構１９０は基体２が所定以上に折曲げられたときに駆動装置５６の駆動源６４への通電を強制的に遮断して保持体９０の走行を停止させるためのものである。すなわち、基体２の幅方向一端側には中途部に可撓部としてのばね部１９２が形成され一端が基体２の中途部に固定された線材１９４が基体の長手方向に沿って配設されている。
【００６０】
上記ばね部１９２は基体２の第１の柔軟部８と対応する位置にある。上記線材１９４は屈曲させることはできるが、ある程度の剛性を備えた鋼線などの材料で作られている。線材１９４の他端は上記駆動装置５６の取付板６２の一方の支持辺６０に一端が回動自在に取付けられたレバ−１９６の他端に連結されている。上記支持辺６０にはレバ−１９６と対向する位置に遮断スイッチ１９８が設けられている。
【００６１】
上記線材１９４の中途部は図２２と図２５に示すホルダ２００によってスライド自在に保持されている。このホルダ２００は、たとえば厚さが０．３ｍｍの合成樹脂フィルムを２つに折曲げ、重合部分の幅方向一端側に切欠２０２が穿設されている。そして、ホルダ２００は、その切欠２０２に上記ガイドレール１０をスライド自在に支持したレ−ルスライダ２８の一方のフランジ３０を係合させることで、保持され、上記線材１９４はホルダ２００の重合したフィルム間に挿通される。
【００６２】
上記遮断スイッチ１９８は上記レバ−１９６によって作動させられることで駆動源６４への給電を遮断するようになっている。上記線材１９４は、上記基体２を展開した状態では上記レバ−１９６が線材１９４によって引張られている。それによって、上記遮断スイッチ１９８の作動子１９８ａが押圧され、このスイッチ１９８がオンとなって駆動源６４への給電ができる状態にある。
【００６３】
上記基体２を図２２に鎖線で示すように第１の柔軟部８の箇所から折曲げると、この第１の柔軟部８と対応する位置にある上記ばね部１９２が基体２の上面から浮上がって屈曲されるので、その分の長さだけ線材１９４の他端が基体２に対して図２２に矢印で示す駆動装置５６の方向へスライドする。
【００６４】
それによって、線材１９４の他端に連結されたレバ−１９６が遮断スイスッチ１９８の作動子１９８ａから離れる方向へ回動するから、上記遮断スイッチ１９８がオフとなって駆動源６４への給電が遮断される状態となる。すなわち、駆動装置５６を作動させた状態で基体２を折り畳んでも、この駆動装置５６を自動的に停止させることができるようになっている。
【００６５】
図４に示すように、ケ−ス５８内には制御装置２０３が設けられている。この制御装置２０３によって一対の保持体９０のガイドレール１０に沿う走行範囲を制御することができるようになっている。
【００６６】
上記基体２の上面には図１あるいは図３に示すように一対のガイドレール１０の外側に壁部材２０３が設けられている。この壁部材２０３は折曲することができる弾性部材、たとえば発泡ウレタンなどで形成されている。
【００６７】
なお、上記駆動装置５６と振動装置１３４とは図示しないスイッチボックスによって遠隔的に操作できるようになっている。
【００６８】
図１に示すように、基体２の長手方向一端部と他端部との下面にはそれぞれ一対の第１のバンド２０４と第２のバンド２０６とは基体１の幅方向に沿って設けられている。第１、第２のバンド２０４，２０６が基体２の下面を被覆した外装地１６２に縫着されているとともに、両端部が基体の幅方向両端部から突出する長さに設定されている。第１のバンド２０４と第２のバンド２０６とは、基体２を第１の柔軟部８の箇所から２つに折り畳んだときに一致する位置に設けられている。
【００６９】
図２７乃至図２９に示すように、第１のバンド２０４の両端にはそれぞれ支軸２０８が取付けられ、この支軸２０８には側面形状がＣ字状をなした把手部材２１０の一端が回動可能に連結されている。第２のバンド２０６の両端にはそれぞれ係合軸２１２が取付けられている。基体２を第１の柔軟部８から２つに折り畳むと、第１のバンド２０４の両端に設けられた把手部材２１０と第２のバンド２０６の両端に設けられた係合軸２１２とが対向する。したがって、把手部材２１０を回動させて上記係合軸２１２に係合させれば、基体２を２つに折り畳んだ状態で保持することができるとともに、把手部材２１０に手を掛けて基体２を持ち運ぶことができるようになっている。
【００７０】
このような構造のマッサージ装置１によれば、このマッサージ装置１の上面に利用者が仰臥したならば、図示せぬスイッチボックスを操作し駆動装置５６の駆動源６４を作動させる。駆動源６４が作動して出力軸６６が図５に矢印Ｘで示す時計方向に回転すると、第１の駆動用プーリ７０と第４の駆動用プーリ８４とが同方向に回転し、第２の駆動用プーリ７６と第３の駆動用プーリ８０とが逆方向に回転する。
【００７１】
したがって、一対の金属ベルト８６はそれぞれ第１の駆動用プーリ７０と第４の駆動用プーリ８４とに巻取られるとともに、その巻取り量に応じて第２の駆動用プーリ７６と第３の駆動用プーリ８０とから送り出されるから、上記ベルト８６のガイドレール１０の上部通路２０に挿通された部分が図５に矢印Ｚで示す方向に走行する。
【００７２】
金属ベルト８６が走行すると、取付板１１９を介してワイヤ１１５が引張られ、上記金属ベルト８６の走行に一対の保持体９０が連動するから、これら保持体９０に設けられたマッサ−ジロ−ラ１１８によって利用者は背面にマッサ−ジを受けることができる。
【００７３】
スイッチボックスを操作して振動装置１３４を作動させれば、この振動装置１３４が振動するとともに、振動がばね体１５８を介してバランサ１６０にも伝達されるから、利用者は振動装置１３４とバランサ１６０との振動によって体の広い範囲にマッサ−ジを受けることができる。
【００７４】
上記金属ベルト８６はガイドレール１０に形成された上部通路２０と下部通路２２とを走行する。そのため、上記金属ベルト８６が基体２の上面や外装地１６２の内面と摺接することがないから、基体２や外装地１６２が早期に損傷するのが防止されるばかりか、上記金属ベルト８６を円滑に走行させることができる。
【００７５】
上記外装地１６２の上面に利用者が抑臥すると、振動装置１３４よりも上方に位置するバランサ１６０が取着されたばね体１５８の他端側が図１１に示す状態から図１２に示すように下方へ弾性変形する。つまり、ばね体１５８がへの字状に弾性変形する。
【００７６】
ばね体１５８が弾性変形すると、このばね体１５８の復元力によってア−ム１２９の振動装置１３４が取着された他端側が上昇する方向に付勢されるから、振動装置１３４が外装地１６２を介して利用者の体に強く押付けられることになる。したがって、振動装置１３４の振動が利用者の体に強く伝わり、マッサ−ジ効果を高めることができる。
【００７７】
上記ばね体１５８のバランサ１６０が取着された他端側は、第１のワイヤ１７３と第２のワイヤ１７４とによって図１１に示す状態よりも上方へ変位し過ぎるのが規制されている。つまり、外装地１６２上に抑臥した利用者が体を動かすなどしてばね体１５８が弾性変形しても、バランサ１６０の上昇位置は第１、第２のワイヤ１７３，１７４によって規制される。そのため、上記ばね体１５８の他端側に取着されたバランサ１６０が上方へ突出し過ぎることがない。
【００７８】
バランサ１６０が外装地１６２を押圧しながら上方へ突出した状態で保持体９０が図１１に矢印Ａで示す方向に走行駆動されると、上記バランサ１６０が利用者の体の一部に引っ掛かることがある。すると、バランサ１６０が取着されたばね体１５８が屈曲したり、折損することがある。
【００７９】
しかしながら、上記ばね体１５８のバランサ１６０が取着された端部は第１のワイヤ１７３と第２のワイヤ１７４とによって所定以上の高さに変位するのが規制されている。したがって、上記バランサ１６０が上方へ突出し過ぎて利用者の体の一部に引っ掛かり、ばね体１５８が屈曲したり、折損するなどのことが確実に防止される。
【００８０】
さらに、ア−ム１２９の他端側は第３のワイヤ１７５によって上昇し過ぎるのが規制されている。それによって、ばね体１５８の他端側が強く押し下げられたときに、その反力でア−ム１２９の他端側が上昇し過ぎ、それによってア−ム１２９の他端側に取着された振動装置１３４が上方へ突出し過ぎて利用者の体に引っ掛かるということも防止される。
【００８１】
上記振動装置１３４が作動すると、その振動が保持体９０のサポ−ト９４、保持体９０と金属ベルト８６とを結合したワイヤ１１５およびワイヤ１１５をベルト８６に連結した取付板１１９を介して上記金属ベルト８６に伝わる。とくに、一対の取付板１１９のうち、振動装置１３４側に位置する取付板１１９の方が大きく振動する。それによって、ベルト８６がレ−ル１０の上部通路２０内で振動し、その上部通路２０を形成する一対のＬ字状片１８に当たって騒音を出す虞がある。
【００８２】
しかしながら、上記ワイヤ１１５がベルト８６に連結された箇所である振動装置１３４側に位置する一方の取付板１１９には弾性押え体１０９が設けられ、その一対のばね部１０９ａが上記上部通路２０のＬ字状片１８に弾性的に当接している。それによって、振動装置１３４の振動がワイヤ１１５に伝達されても、上記ベルト８６が振動するのが阻止されるから、ベルト８６とＬ字状片１８とがぶつかって騒音が発生するのが防止される。
【００８３】
なお、上記一実施の形態ではばね体の他端側が上昇し過ぎるのを防止するために第１のワイヤと第２のワイヤとを設けたが、どちらか一方のワイヤだけであっても上記ばね体の他端側が上昇し過ぎるのを防止することができる。
【００８４】
また、ベルトの振動を防止する弾性押え体は一方の取付け板だけでなく、一対の取付け板に設けるようにしてもよい。
【００８５】
【発明の効果】
以上のようにこの発明によれば、マッサージローラが設けられた保持体を走行させる金属ベルトをガイドレールに形成した上部通路と下部通路とに挿通した。
【００８６】
そのため、上記金属ベルトが上記基体や外装地などを擦ってこれらを早期に損傷させるのを防止できる。
【図面の簡単な説明】
【図１】この発明の一実施の形態を示す外装地の一部を除去した基体の平面図。
【図２】基体の側面図。
【図３】図２のＩＩＩ−ＩＩＩ線に沿う拡大断面図。
【図４】ガイドレールと駆動装置との構造の平面図。
【図５】図４のＶ−Ｖ線に沿う断面図。
【図６】ガイドレールを支持する架台の断面図。
【図７】架台の図６とは異なる部分の断面図。
【図８】（ａ）は基体の斜視図、（ｂ）は基体のスリットが形成された部分の幅方向に沿う断面図。
【図９】ガイドレールのスリットが形成された部分の平面図。
【図１０】図９のＸ−Ｘ線に沿う断面図。
【図１１】ばね体が荷重を受けていない状態の保持体の側面図。
【図１２】ばね体が利用者の荷重を受けて弾性変形した状態の断面図。
【図１３】ばね体の拡大断面図。
【図１４】ガイド部材の斜視図。
【図１５】取付板とワイヤの連結構造の斜視図。
【図１６】ベルトに取着された弾性押え体の斜視図。
【図１７】保持体の一部分の平面図。
【図１８】保持体の一部断面した正面図。
【図１９】一対の保持体の側面図。
【図２０】振動装置の取付構造の断面図。
【図２１】駆動装置の一部分の断面図。
【図２２】駆動装置の駆動源への給電を遮断するためのスイッチ構造の構成図。
【図２３】スイッチ構造の線材の正面図。
【図２４】レ−ルスライダによるレ−ルの保持構造の断面図。
【図２５】レ−ルスライダとホルダの斜視図。
【図２６】基体を折曲げた状態の断面図。
【図２７】基体を折り畳んだときに対向する把手部材と係合軸とを係合させる前の状態を示す斜視図。
【図２８】基体を折り畳んで把手部材と係合軸とを係合させた状態を示す斜視図。
【図２９】基体を折り畳んで把手部材と係合軸とを係合させた状態を示す側面。
【符号の説明】
２…基体
６４…駆動源
９０…保持体
１１８…マッサ−ジロ−ラ
１２９…ア−ム
１５８…ばね体
１６０…バランサ
１７３…第１のワイヤ（規制手段）
１７４…第２のワイヤ（規制手段）。
【図１】
2004135773.tif 000003
【図２】
2004135773.tif 000004
【図３】
2004135773.tif 000005
【図４】
2004135773.tif 000006
【図５】
2004135773.tif 000007
【図６】
2004135773.tif 000008
【図７】
2004135773.tif 000009
【図８】
2004135773.tif 000010
【図９】
2004135773.tif 000011
【図１０】
2004135773.tif 000012
【図１１】
2004135773.tif 000013
【図１２】
2004135773.tif 000014
【図１３】
2004135773.tif 000015
【図１４】
2004135773.tif 000016
【図１５】
2004135773.tif 000017
【図１６】
2004135773.tif 000018
【図１７】
2004135773.tif 000019
【図１８】
2004135773.tif 000020
【図１９】
2004135773.tif 000021
【図２０】
2004135773.tif 000022
【図２１】
2004135773.tif 000023
【図２２】
2004135773.tif 000024
【図２３】
2004135773.tif 000025
【図２４】
2004135773.tif 000026
【図２５】
2004135773.tif 000027
【図２６】
2004135773.tif 000028
【図２７】
2004135773.tif 000029
【図２８】
2004135773.tif 000030
【図２９】
2004135773.tif 000031